(57)【要約】【課題】設置や移動などの際、取り扱いを適切にし、作業者の負担を軽減することができる蓄電池装置を提供する。【解決手段】蓄電池装置10は、蓄電池モジュール、筐体12および取手50を備える。筐体12は、蓄電池モジュールを内部に収容する。取手50は、筐体12に設けられ、筐体12の内部に蓄電池モジュールが収容されていない状態で使用可能となるとともに、筐体12の内部に蓄電池モジュールが収容されている状態で使用不可となる。【選択図】図１
2019053874.tif 000002
【特許請求の範囲】
【請求項１】
蓄電池モジュールと；
前記蓄電池モジュールを内部に収容する筐体と；
前記筐体に設けられ、前記筐体の内部に前記蓄電池モジュールが収容されていない状態で使用可能となるとともに、前記筐体の内部に前記蓄電池モジュールが収容されている状態で使用不可となる取手と；
を具備することを特徴とする蓄電池装置。
【請求項２】
前記取手は、前記筐体の内側で前記筐体に収容される前記蓄電池モジュールにより覆われる位置に設けられている
ことを特徴とする請求項１記載の蓄電池装置。
【請求項３】
前記筐体の内部に前記蓄電池モジュールが収容された状態で前記取手を使用不可に保持するとともに、前記筐体の内部に前記蓄電池モジュールが収容されていない状態で前記取手の保持を解除して前記取手を使用可能とするロック機構を具備する
ことを特徴とする請求項１または２記載の蓄電池装置。
【発明の詳細な説明】
【技術分野】
【０００１】
本発明の実施形態は、蓄電池モジュールを備えた蓄電池装置に関する。
【背景技術】
【０００２】
従来、例えば太陽光発電モジュールなどを備える発電システムや商用電力を供給する系統電源などと接続される蓄電システムがある。この蓄電システムは、太陽光発電システムの発電電力を蓄電したり、系統電源の料金が安い夜間などの時間帯に電力を蓄電したりして、必要時に蓄電した電力を負荷に供給するように構成されている。
【０００３】
このような蓄電システムで蓄電に用いられる蓄電池装置は、設置するための筐体、およびこの筐体内に収容される蓄電池モジュールを備えた構成となっている。
【０００４】
蓄電池モジュールは質量が大きいため、蓄電池モジュールを筐体に収容した状態で設置や移動を行うと、作業の負担が大きく、荷重に耐えられない箇所が破損するなどの虞があり、蓄電池装置を適切に取り扱うことができない。
【先行技術文献】
【特許文献】
【０００５】
【特許文献１】特開２０１６−２０７２５７号公報
【発明の概要】
【発明が解決しようとする課題】
【０００６】
本発明が解決しようとする課題は、設置や移動などの際、取り扱いを適切にし、作業者の負担を軽減することができる蓄電池装置を提供することである。
【課題を解決するための手段】
【０００７】
実施形態の蓄電池装置は、蓄電池モジュール、筐体および取手を備える。筐体は、蓄電池モジュールを内部に収容する。取手は、筐体に設けられ、筐体の内部に蓄電池モジュールが収容されていない状態で使用可能となるとともに、筐体の内部に蓄電池モジュールが収容されている状態で使用不可となる。
【発明の効果】
【０００８】
本発明によれば、蓄電池装置の設置や移動などの際、取り扱いを適切し、作業者の負担を軽減することが期待できる。
【図面の簡単な説明】
【０００９】
【図１】一実施形態を示す蓄電池装置の取手が使用可能な状態の斜視図である。
【図２】同上蓄電池装置の取手が使用不可にロックされた状態の斜視図である。
【図３】同上蓄電池装置の取手が蓄電池モジュールで隠れた状態の斜視図である。
【図４】同上蓄電池装置のロック機構がロックされた状態の断面図である。
【図５】同上蓄電池装置のロック機構がロック解除された状態の断面図である。
【図６】同上蓄電池装置の分解状態の斜視図である。
【図７】同上蓄電池装置の斜視図である。
【発明を実施するための形態】
【００１０】
以下、一実施形態を、図面を参照して説明する。
【００１１】
図７に蓄電池装置10を示す。この蓄電池装置10は、例えば住宅などに設置される蓄電システムに用いられる。蓄電池装置10は、例えば太陽光発電モジュールなどを備える発電システムなどから電力や商用電力を供給する系統電源によって蓄電し、夜間などの時間帯や系統電源の停電時などの必要時に蓄電した電力を負荷へと供給するように構成されている。
【００１２】
図６に示すように、蓄電池装置10は、蓄電池モジュール11、およびこの蓄電池モジュール11を収容する筐体12を備えている。蓄電池モジュール11は、単数でも複数でもよい。本実施形態では、４つの蓄電池モジュール11が用いられ、筐体12の両端間に４つの蓄電池モジュール11が１列に並んで収容される。さらに、蓄電池装置10は、蓄電池モジュール11に対する充放電を制御する図示しない電源管理装置なども備えている。
【００１３】
そして、蓄電池モジュール11は、蓄電池本体15、この蓄電池本体15の電圧や温度などの状態を監視する監視ユニット（ＣＭＵ）16、蓄電池本体15を持ち運ぶための蓄電池取手17などを備えている。
【００１４】
蓄電池本体15は、ケース18、およびこのケース18内に収容された図示しない蓄電池を備えている。ケース18は上下方向に長い直方体形状に形成されている。蓄電池は、例えばリチウムイオン電池などの充放電可能な二次電池が用いられている。
【００１５】
監視ユニット16は、蓄電池本体15の側部に配設され、蓄電池本体15の蓄電池に電気的に接続されている。監視ユニット16は、筐体12に収容された後に筐体12に配設されている電源管理装置に電気的に接続され、蓄電池本体15と電源管理装置との間で情報の送受信や電源の充放電を中継する。
【００１６】
蓄電池取手17は、蓄電池本体15の上部側に上下方向に移動可能に連結されている。蓄電池取手17を上方に移動させた位置が蓄電池モジュール11を持ち運び可能とする位置となり、蓄電池取手17を下方に移動させた位置が蓄電池本体15に重ねられた格納位置となる。
【００１７】
次に、図１ないし図６に示すように、筐体12は、内枠としての枠体20と、この枠体20を覆う外枠としてのカバー体21とを備えた二重構造となっている。
【００１８】
枠体20は、底板24、両側の側板25、および両端の端板26を備え、上面側が開口された枠状に設けられている。枠体20の内部には、各蓄電池モジュール11を上方から着脱可能に収容する複数の収容部27が形成されている。これら収容部27は、両端の端板26間に１列に並ぶとともにそれぞれが区画形成されている。
【００１９】
枠体20の底板24には、収容部27を区画し、収容部27に収容される蓄電池モジュール11の下部側を位置決め保持する複数の仕切部材28が取り付けられている。底板24には、各収容部27の底面位置に窪み部29が設けられている。この窪み部29は、底板24を下面側に凸状に折曲することによって設けられている。窪み部29の中央には、スリット状の貫通孔30が設けられている。
【００２０】
枠体20の側板25の内面側には、収容部27に収容される蓄電池モジュール11の側面をガイドするガイド面部31が上下方向に沿って設けられているとともに、隣り合う収容部27を区画して収容部27に収容される蓄電池モジュール11の端面を位置決め保持する仕切部32が上下方向に沿って設けられている。仕切部32は、側板25を内面側に凸状に折曲することによって設けられている。さらに、側板25の内面側には、各収容部27の側面位置に、蓄電池取手17が上下方向に移動可能に進入する窪み部33が上下方向に沿って設けられている。この窪み部33は、側板25を外面側に凸状に折曲することによって設けられている。
【００２１】
枠体20の端板26の内面側には、収容部27に収容される蓄電池モジュール11の端面をガイドするガイド面部34が上下方向に沿って設けられているとともに、このガイド面部34の中央に窪み部35が上下方向に沿って設けられている。この窪み部35は、端板26を外面側に凸状に折曲することによって設けられている。窪み部35の上部側には、窓部36が開口形成されている。
【００２２】
また、カバー体21は、枠体20の底面を覆う底面カバー39、枠体20の両側を覆う側面カバー40、枠体20の両端を覆う端面カバー41、および枠体20の上面を覆う上面カバー42を備えている。これらカバー39〜42は、枠体20の全体を覆い、それぞれの接合部分が液密に組み合わされた防水構造が採られている。底面カバー39には、蓄電池装置10を所定の場所に設置するためのスタンド43が取り付けられている。
【００２３】
そして、筐体12は、枠体20とカバー体21の各カバー39〜41とが一体的に組み立てられた本体部44を備えている。本体部44は上面側が開口されており、この本体部44の上面側に上面カバー42が着脱可能に取り付けられている。
【００２４】
また、筐体12には、この筐体12を持ち運ぶための取手50、およびこの取手50を筐体12に取り付ける取付部材51などが設けられている。
【００２５】
取手50は、筐体12の内側面に取り付けられている。すなわち、取手50は、一対で、筐体12（枠体20）の両端の端板26の内面側にそれぞれ取り付けられている。さらに、端板26の内面側に取り付けられる取手50は、端板26の窪み部35内でかつ窓部36の上側に配置されている。この取手50の位置は、本体部44内の最も端部側の収容部27に蓄電池モジュール11が収容された状態で、その蓄電池モジュール11によって覆われて使用不可となる位置である。
【００２６】
取手50は中央に把手部53を有し、この把手部53の両端から略Ｌ字形のアーム部54が折曲され、これらアーム部54の先端部が取付部材51に回動可能に取り付けられている。一対のアーム部54の先端部は、互いに対向して同軸上に配置されるとともに把手部53と平行に配置され、取付部材51に回動可能に取り付けられる軸部55として構成されている。
【００２７】
取付部材51は、取手50を回動可能に支持し、端板26の窪み部35内でかつ窓部36の上側に取り付けられている。取付部材51は、取手50の軸部55を回動可能に支持する支持部57、この支持部57の上下で端板26に対して複数のねじ58で取り付けられる取付部59、および取手50の上方への回動位置を規制するストッパ部60を備えている。
【００２８】
そして、取手50は、端板26の内面に沿って垂下する格納位置と、端板26の内方へ突出する使用位置との間で回動可能とする。取手50は、格納位置において、端板26の窪み部35内に配置され、端板26のガイド面部34から突出されていない。取手50は、自重で格納位置へ向けて回動するが、ばねなどによる付勢によって格納位置へ向けて強制的に回動させるようにしてもよい。取手50が格納位置に位置するとき、把手部53は窓部36の下側位置に位置する。また、取手50の上方への回動は、取手50のアーム部54が取付部材51のストッパ部60に当接することで規制される。この取手50の上方への回動の規制位置は、上方へ回動した取手50が端板26の窪み部35内に完全に入り込むことなく端板26の内側面よりも突出した位置とし、取手50が端板26の内側面に対して斜め上方に突出する位置である。
【００２９】
また、筐体12には、筐体12の内部にいずれか１つの蓄電池モジュール11でも収容されている状態で取手50を使用不可に保持するとともに、筐体12の内部に全ての蓄電池モジュール11が収容されていない状態で取手50の保持を解除して取手50を使用可能とするロック機構62が設けられている。
【００３０】
ロック機構62は、筐体12に対して上方のロック解除位置と下方のロック位置との間で上下方向に移動可能に配設されたロック部材63、およびこのロック部材63を上方のロック解除位置へ向けて付勢する図示しない付勢部材を備えている。
【００３１】
ロック部材63は、枠体20の底板24とカバー体21の底面カバー39との間で上下方向に移動可能に配設された水平部64、この水平部64の両端から枠体20の端板26の外側面に沿って上下方向に移動可能に配設された垂直部65、およびこの垂直部65の上端に設けられたロック部（フック部）66を備えている。
【００３２】
水平部64には、底板24の各貫通孔30を通じて各収容部27に突出する複数の当接部67が立設されている。当接部67は、水平部64を折曲させることによって一体に形成されている。当接部67は、ロック部材63が上方に移動した状態で、底板24の上面よりも上方に突出しており、収容部27に収容される蓄電池モジュール11の底面との当接によって下降し、つまりロック部材63を下降させるように構成されている。
【００３３】
ロック部66は、端板26の窓部36を通じて端板26の内面側に突出されている。ロック部66は、先端側を下方へ向けた略Ｌ字形または略Ｕ字形であるフック形状に折曲形成されている。ロック部66は、端板26の窪み部35内に配置され、端板26のガイド面部34から突出されていない。そして、ロック部66は、ロック部材63の上下方向への移動とともに、端板26の窓部36内を上下方向に移動可能とする。ロック部66は、取手50が格納位置に位置するときに、ロック部材63が下方のロック位置に移動することにより、取手50の把手部53に係合し、取手50の回動を規制する。また、ロック部材63が上方のロック解除位置に移動することにより、取手50の把手部53から外れ、取手50の回動を可能とする。
【００３４】
ロック機構62の付勢部材には、水平部64を上方へ押し上げるコイルばねや板ばね、あるいは、垂直部65を上方に引っ張り上げる引張ばねなどが用いられる。
【００３５】
そして、このように構成された蓄電池装置10の作用を説明する。
【００３６】
蓄電池装置10の設置時には、蓄電池モジュール11を１つも収容していない状態の筐体12の本体部44を設置場所に持ち運んで設置する。
【００３７】
このとき、図１および図５に示すように、筐体12の本体部44には蓄電池モジュール11が１つも収容されていないことにより、ロック機構62の付勢部材によってロック部材63が上方のロック解除位置に上昇し、ロック部材63のロック部66が取手50の把手部53から上方に外れた状態にあり、つまり取手50が使用可能な状態にある。
【００３８】
そのため、設置を行う作業者の手で、自重またはばね付勢により垂下した格納位置に位置する取手50を上方に回動させ、取手50の把手部53を握ることにより、取手50を使用して本体部44の持ち運びができる。このとき、本体部44には蓄電池モジュール11が１つも収容されていないため、本体部44のみを持ち運ぶ際の作業者の負担は比較的小さく、１人の作業者が本体部44の両端の取手50を使用して持ち運ぶこともできる。なお、２人の作業者が本体部44の両端の取手50をそれぞれ使用して持ち運んでもよい。
【００３９】
取手50を上方に回動させると、取手50のアーム部54が取付部材51のストッパ部60に当接し、取手50の上方への回動が規制される。この状態では、取手50の把手部53と端板26の内側面との間に所定の距離が確保されるため、本体部44の持ち運び時に取手50の把手部53を握る作業者の手が端板26の内側面に当たるのを防止し、本体部44の持ち運びを容易に行うことができる。
【００４０】
そして、本体部44を設置場所に設置した後、蓄電池モジュール11を１つずつ設置場所に持ち運んで、本体部44内の収容部27に上方から挿入し、収容部27に収容する。このとき、蓄電池モジュール11は、質量（例えば１５ｋｇ程度）が大きいが、分割されていて、１つずつ持ち運ぶことが可能になっているため、作業者の負担を軽減することができる。
【００４１】
図４に示すように、蓄電池モジュール11を本体部44内に１つでも収容すると、収容した蓄電池モジュール11の底面でロック機構62の当接部67を下降させるため、この当接部67と一体のロック部材63が下降する。
【００４２】
このとき、既に設置完了した本体部44の取手50からは作業者の手を離していて、取手50は自重またはばね付勢により垂下した格納位置に位置しているため、ロック部材63が下降すると、ロック部材63のロック部66が取手50の把手部53に係合し、取手50を使用不可に保持する。
【００４３】
例えば、図２に示すように、本体部44内の最も端部側の収容部27に蓄電池モジュール11が収容されていなくても、他の収容部27に蓄電池モジュール11が収容されると、ロック機構62が動作し、取手50を使用不可に保持する。
【００４４】
さらに、図３に示すように、本体部44内の最も端部側の収容部27に蓄電池モジュール11を収容すると、この蓄電池モジュール11で取手50を覆うため、取手50を使用することができない。
【００４５】
したがって、本体部44内に蓄電池モジュール11を収容した状態では、取手50を使用することができないようにするため、蓄電池モジュール11を収容した状態での本体部44の持ち運びを防止し、作業者の負担を軽減することができる。
【００４６】
そして、本体部44内に蓄電池モジュール11を収容完了したら、蓄電池モジュール11と電源管理装置とを電気的に接続するなどの電気配線を行った後、本体部44の上面に上面カバー42を取り付け、蓄電池装置10の設置を完了する。
【００４７】
また、蓄電池装置10の設置場所の移設や撤去の際にも、本体部44内から全ての蓄電池モジュール11を取り外さなければ、取手50を使用することができないため、作業者は意識することなく、全ての蓄電池モジュール11を取り外し、取手50を使用して本体部44を持ち運ぶことができる。
【００４８】
このように、本実施形態の蓄電池装置10によれば、蓄電池装置10の設置や移動などの際、筐体12の内面側に設けられた取手50を使用して筐体12を持ち運ぶには、筐体12の内部から蓄電池モジュール11を外す必要があるため、蓄電池モジュール11を収容した状態での本体部44の持ち運びを防止して、蓄電池装置10の取り扱いを適切にし、作業者の負担を軽減できる。
【００４９】
取手50は、筐体12の内部に蓄電池モジュール11が収容された状態で、その蓄電池モジュール11によって覆われる位置にあるため、誤って取手50が使用されるのを確実に防止できる。
【００５０】
さらに、筐体12の内部に蓄電池モジュール11が収容されると、ロック機構62によって取手50を使用不可に保持するため、誤って取手50が使用されるのを確実に防止できる。しかも、筐体12の内部に複数の蓄電池モジュール11を収容する場合、筐体12の内部にいずれか１つの蓄電池モジュール11でも収容されれば、ロック機構62によって取手50を使用不可に保持するため、誤って取手50が使用されるのを確実に防止できる。
【００５１】
また、取手50は、端板26の内側面に設けた窪み部35に設けられ、取手50を使用しない状態では窪み部35内に配置されるため、端板26の内側面に設けられていても、筐体12内に収容される蓄電池モジュール11と干渉することがない。さらに、端板26は窪み部35を有することで強度を向上できる。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
10    蓄電池装置
11    蓄電池モジュール
12    筐体
50    取手
62    ロック機構
【図１】
2019053874.tif 000003
【図２】
2019053874.tif 000004
【図３】
2019053874.tif 000005
【図４】
2019053874.tif 000006
【図５】
2019053874.tif 000007
【図６】
2019053874.tif 000008
【図７】
2019053874.tif 000009